(57)【要約】【課題】スプリンクラ−ヘツドが天井スラブの容易に垂下させる構造であり、又、消火設備の簡素化と、設備の設置作業性が優れた構造を提供する。【解決手段】天井に当接される水平片と、折り曲げられ、複数の取付穴Ａを備えた垂直片とからなるブラケットと、これに装着するスプリンクラ−ヘッド取付継手であって、当該取付継手はＬ型エルボ形状であり、下向きの開口部にスプリンクラ−ヘッドが装着され、横向きの開口部に枝管装着手段を備え、かつ、垂直に羽部を形成し、この羽部に垂直に複数条の長穴Ｂを形成し、前記垂直片と羽部とを当接し、取付穴Ａと長穴Ｂとを接続した。１‥ブラケット、２‥水平片、３‥垂直片、１０‥スプリンクラ−ヘッド取付継手、１１‥下向き開口部、１２‥横向き開口部、１４‥羽部、２０‥スプリンクラ−ヘッド、Ｓ１‥天井スラブ、Ｓ２‥天井部材。【選択図】図１
2008011869.tif 000002
【特許請求の範囲】
【請求項１】
天井の下面に当接される水平片と、これより折り曲げられ、複数の取付穴Ａを備えた垂直片とからなるブラケットと、これに装着するスプリンクラ−ヘッド取付継手の構造であって、当該スプリンクラ−ヘッド取付継手はＬ型エルボ形状であり、下向きの開口部にスプリンクラ−ヘッドが装着され、横向きの開口部に枝管装着手段を備え、かつ、垂直に羽部を形成し、この羽部に垂直に複数条の長穴Ｂを形成し、前記ブラケットの垂直片と羽部とを当接し、取付穴Ａと長穴Ｂとを接続したことを特徴とするスプリンクラ−ヘッド取付継手の構造。
【請求項２】
前記水平片は好ましくは複数個から形成され、当該水平片に差し込まれるボルト径よりも大径の穴Ｃを備えた請求項１記載のスプリンクラ−ヘッド取付継手の構造。
【請求項３】
前記横向きの開口部の背面に垂直に羽部を形成した請求項１又は２記載のスプリンクラ−ヘッド取付継手の構造。
【請求項４】
前記枝管装着手段が、止水リングとロックリングとを備えた手段である請求項１乃至３いずれか１記載のスプリンクラ−ヘッド取付継手の構造。
【請求項５】
前記枝管装着手段がＬ型のスプリンクラ−ヘッド取付継手とは別体とされ、一方側に枝管装着手段と他方側にスプリンクラ−ヘッド取付継手装着手段を備えたソケットである請求項１記載のスプリンクラ−ヘッド取付継手の構造。
【請求項６】
前記スプリンクラ−ヘッド取付継手装着手段が、止水リングとロックリングとを備えた手段である請求項５記載のスプリンクラ−ヘッド取付継手の構造。
【発明の詳細な説明】
【技術分野】
【０００１】
本発明はスプリンクラ−消火設備に関するものであり、更にいえば、新しいスプリンクラ−ヘッド取付継手にかかるものである。
【背景技術】
【０００２】
スプリンクラ−を用いた消火設備は初期消火に非常に効果があり、高層ビル、劇場、デパ−ト等のように消防法で設置が義務づけられている建物のほか、火災の発生し易い場所や一般住宅でも設置が望ましい。そして、スプリンクラ−設備のための大容量の水タンクや給水ポンプ等の多額な設備費用を省くために水道管に閉鎖型のスプリンクラ−ヘツドを直結して使用する方法が知られている。
【０００３】
従来のスプリンクラ−消火設備は、図示しない上水用の高架水槽に消火用給水本管が連通され、この消火用給水本管に分岐管が接続され、分岐管にＴ字継手や十字継手を介して枝管が接続され、各枝管の先端にスプリンクラ−ヘツドが接続されている。そして枝管は、夫々末端側に必要な消火用水の供給量に見合った口径で多種類の管路が選択されて接続されている。
【０００４】
しかるに、特許文献１にはスプリンクラ−の新たな配管系統が提案されており、ヘッダ−とスプリンクラ−ヘッドとの間を継手を用いて枝管を配管する技術である。即ち、給水配管に分岐管が接続され、この分岐管には制水弁、電磁弁およびヘッダ−が順次接続されている。スプリンクラ−ヘツドは単独で枝管の末端側に夫々継手を介して接続される。枝管の基端側はユニオンの如き継手を介してヘッダ−に接続されている。
【０００５】
【特許文献１】特開平８−２４３６０号公報
【発明の開示】
【発明が解決しようとする課題】
【０００６】
かかるスプリンクラ−消火装置にあって、スプリンクラ−ヘツドが天井より真下に向かって突出しているが、この調整が難しく、継手を介して枝管が接続される際に、向きが変わってしまう事態が起こる。本発明は、スプリンクラ−ヘツドを天井スラブより垂下させる新たな構造を提供するものである。
【課題を解決するための手段】
【０００７】
本発明の要旨は、天井の下面に当接される水平片と、これより折り曲げられ、複数の取付穴Ａを備えた垂直片とからなるブラケットと、これに装着するスプリンクラ−ヘッド取付継手の構造であって、当該スプリンクラ−ヘッド取付継手はＬ型エルボ形状であり、下向きの開口部にスプリンクラ−ヘッドが装着され、横向きの開口部に枝管装着手段を備え、かつ、垂直に羽部を形成し、この羽部に垂直に複数条の長穴Ｂを形成し、前記ブラケットの垂直片と羽部とを当接し、取付穴Ａと長穴Ｂとを接続したことを特徴とするスプリンクラ−ヘッド取付継手の構造である。
【０００８】
尚、場合によっては枝管装着手段は直接スプリンクラ−ヘッド取付継手に備えなくともよく、枝管装着手段を備えたソケットをこの部位に装着してもよい。
【発明の効果】
【０００９】
本発明は以上の通りであり、スプリンクラ−ヘッドを正規の位置に設置することが簡単となり、又、例えば樹脂製の管材である枝管を容易に装着できることとなったもので、消火設備の簡素化と、設備を設置する際の作業性が優れた構造が提供できたものである。
【発明を実施するための最良の形態】
【００１０】
本発明は天井下面に装着されるブラケットに、スプリンクラ−ヘッド取付継手の羽部をもって装着するものである。ブラケットの水平片は好ましくは複数個から形成され、当該水平片に差し込まれるボルト径よりも大径の穴Ｃ（以下、大径の穴Ｃという）を備えたものであり、この大径の穴Ｃは枝管装着手段に平行に形成されたものである。垂直片には複数の取付穴Ａが形成されている。天井スラブに２本のボルト立て、これによって取付穴Ａ前後の位置を正確に調整することとなる。
【００１１】
一方、スプリンクラ−ヘッド取付継手はＬ型エルボ形状であり、下向きの開口部にスプリンクラ−ヘッドが装着され、横向きの開口部に枝管装着手段を備えたものである。そして、横向きの開口部の背面に垂直に羽部を形成し、この羽部に垂直に複数条の長穴Ｂを形成し、前記ブラケットの垂直片と羽部とを当接し、取付穴Ａと長穴Ｂとを接続したものである。両穴を通してボルト及びナットにて装着することとなるが、長穴Ｂを調整して上下の高さを調整することとなる。
【００１２】
羽部は、好ましくは、横向き開口部の背面に垂直に形成するのがよく、こうすることによって、スプリンクラ−ヘッド取付継手への枝管の着脱の際に加わる力に対しても真正面で受けることができ、継手の向きが変わってしまう等ということはなくなる。
【００１３】
枝管装着手段は枝管との取り合いを極めて簡単にしようとするにあり、枝管の先端を差し込むだけで装着可能としたものである。かかる装着手段の例としては、継手内に止水リング及びロックリングを内蔵したものであり、これらが差し込まれた枝管の表面に接触し止水と抜けを防止する構造となっている。
【００１４】
尚、枝管装着手段がＬ型のスプリンクラ−ヘッド取付継手の横向き開口部に直接備えられずに、これとは別体とされ、一方側に枝管装着手段と他方側にスプリンクラ−ヘッド取付継手装着手段を備えたソケットを上記スプリンクラ−ヘッド取付継手装着したものであってもよい。かかる枝管装着手段及びスプリンクラ−ヘッド取付継手装着手段は、止水リングとロックリングとを備えた手段である。
【００１５】
枝管はヘッダ−とスプリンクラ−ヘッドとの間を接続する管であり、金属管等とは異なり脱着性を考慮してやや余裕をもって敷設され、通常は天井板状に這わせる状態で敷設すればよい。尚、枝管は樹脂管が好適であり、例えばポリブテン管、架橋ポリエチレン管、塩ビ管等が採用できる。
【実施例】
【００１６】
以下、図において本発明を更に詳細に説明する。図１は本発明の第１例を示すスプリンクラ−ヘッド取付継手の構造を示すものであり、図２は上面図である。図中、１はブラケット、１０はスプリンクラ−ヘッド取付継手である。又、Ｓ１は天井スラブ、Ｓ２は天井部材である。
【００１７】
ブラケット１は天井スラブＳの下面に当接される水平片２と、これより垂直に折り曲げられた垂直片３とからなるものである。前記の水平片２には図３に示すように２つの大径の穴Ｃを備え、垂直片３には２つの取付穴Ａを形成したものである。ブラケット１は天井スラブＳにねじ込まれたボルト４を大径の穴Ｃを介して固定されるものであり、ヘッドの位置を正規の位置に大径の穴Ｃによって調整しつつ固定されるものである。
【００１８】
スプリンクラ−ヘッド取付継手１０はＬ型エルボ形状であり、下向きの開口部１１にスプリンクラ−ヘッド２０が装着され、横向きの開口部１２に枝管装着手段１３を備え、横向きの開口部１２の背面に垂直に羽部１４を形成したものである。かかる羽部１４に図４に示すように垂直に２つの長穴Ｂを形成し、前記ブラケット１の垂直片３と羽部１４とを当接し、取付穴Ａと長穴Ｂとをボルト及びナット１５にて接続したものである。この場合、スプリンクラ−ヘッド２０は天井部材Ｓ２の所定の穴Ｃ１より内側に突出していなくてはならないが、羽部１４に設けた長穴Ｂに添ってその位置（高さ）が調整されることは言うまでもない。
【００１９】
スプリンクラ−ヘッド２０の装着は、スプリンクラ−ヘッド取付継手１０における下向きの開口部１１に刻設された雌ねじ部に螺合して接続されたものである。
【００２０】
一方、図示しないヘッダ−から伸びる枝管３０はこの例ではポリブテン管が採用され、スプリンクラ−ヘッド取付継手１０における横向き開口部１２に内蔵した止水リング及びロックリングによって装着・固定されるものである。即ち、継手１０に大径と小径の段部１６ａ、１６ｂを形成し、大径段部１６ａ内に止水リング１７及びロックリング１８を内蔵させたものであり、この抜けを防止するキャップ１９が螺着されたものである。そして、枝管３０がこのキャップ１９に差し込まれると、その外表面に止水リング１７及びロックリング１８が接し、特にロックリング１８に備えられた環状の爪１８ａが枝管３０に食い込むことによって抜けが防止できる構造となっている。
【００２１】
このように、本第１発明にあっては、スプリンクラ−ヘッド取付継手１０の装着が簡単でかつ確実となり、しかも枝管はキャップ１９内に先端を差し込むだけで完全な装着が可能となったもので、その優位性は明らかである。
【００２２】
図５は本発明の第２例を示すスプリンクラ−ヘッド取付継手の構造を示すものである。ブラケット１、スプリンクラ−ヘッド取付継手１０の基本構造は上記の第１例と同様であるが、この例では横向き開口部１２が大きく変わっている例である。即ち、この例では横向き開口部１２は単にストレ−トの筒体となっており、この部位にソケット４０を装着して枝管装着手段１３を備えるものである。                                              
【００２３】
ここで、上記のソケット４０を図６に基づいて言及すると、ソケット４０には枝管３０を固定する開口部４１と、上記の筒体１２を固定する開口部４２とを備えたものである。そして、両開口部４１、４２には前例と同様の止水リング１７と爪１８ａを備えたロックリング１８が内蔵されており、これらはキャップ１９ａ、１９ｂによって抜けが防止された構造となっている。
【００２４】
従って、かかる開口部４１及び４２に枝管３０及び筒体１２を差し込むことによって装着・固定が完了し、スプリンクラ−ヘッド取付継手の構造となるものである。このソケット４０を用いることにより、場合によっては従来のスプリンクラ−ヘッド取付継手をそのままで樹脂製の枝管が装着できることとなる。
【産業上の利用可能性】
【００２５】
本発明は消火設備の簡略化とともに、その設置作業も迅速でかつ安価となるもので、従来の消火設備にない優れた機能を発揮し、極めて実用性に優れた装置が提供できたものである。
【図面の簡単な説明】
【００２６】
【図１】図１は本発明の第１例を示すスプリンクラ−ヘッド取付継手の構造である。
【図２】図２は図１の上面図である。
【図３】図３は図１のブラケットの水平片を取出した図である。
【図４】図４は図１のスプリンクラ−ヘッド取付継手の羽部を取出した図である。
【図５】図５は本発明の第２例を示すスプリンクラ−ヘッド取付継手の構造である。
【図６】図６は図５のソケットの拡大図である。
【符号の説明】
【００２７】
１‥ブラケット、
２‥水平片、
３‥垂直片、
４‥ボルト、
１０‥スプリンクラ−ヘッド取付継手、
１１‥下向き開口部、
１２‥横向き開口部、
１３‥枝管装着手段、
１４‥羽部、
１５‥ボルト・ナット、
１６ａ、１６ｂ‥段部、
１７‥止水リング、
１８‥ロックリング、
１８ａ‥爪、
１９‥キャップ、
２０‥スプリンクラ−ヘッド、
３０‥枝管、
４０‥ソケット、
４１、４２‥ソケットの開口部、
Ａ‥垂直片に形成した取付穴、
Ｂ‥羽部に形成した長穴、
Ｃ‥水平片に形成した大径の穴、
Ｓ１‥天井スラブ、
Ｓ２‥天井部材。
【図１】
2008011869.tif 000003
【図２】
2008011869.tif 000004
【図３】
2008011869.tif 000005
【図４】
2008011869.tif 000006
【図５】
2008011869.tif 000007
【図６】
2008011869.tif 000008